【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
遊技領域に設けられた始動領域を遊技媒体が通過していることを検知して検知信号を出力する検知手段と、前記検知手段から出力された検知信号に基づいて成立する始動条件により各々を識別可能な複数種類の識別情報を変動表示する変動表示装置とを備え、前記識別情報の変動表示の表示結果が予め定められた特定表示結果となったときに、遊技者にとって有利な特定遊技状態に制御する遊技機であって、
所定の初期設定処理を実行した後、制御データに基づき遊技の進行を制御する遊技制御処理を実行する遊技制御手段を備え、
前記遊技制御手段は、
数値データを更新する数値更新手段と、
前記検知手段から前記検知信号が出力されたときに、該検知信号の出力に基づいて前記始動条件が成立したか否かに関わらずに、前記数値更新手段によって更新された数値データを抽出し、数値データ格納領域に格納する数値データ抽出手段と、
前記数値データ格納領域に前記数値データ抽出手段により抽出された数値データが格納された後、該格納されている数値データが読み出されるまでは、前記数値データ抽出手段により新たな数値データの格納を制限して、該格納されている数値データを保持する数値データ保持手段と、
前記数値データ格納領域に前記数値データ抽出手段により数値データが格納されたときに、数値データが新たに格納された旨を示す格納情報を設定する格納情報設定手段と、
前記格納情報設定手段に前記格納情報が設定されているか否かを一定時間毎に監視する格納情報監視手段と、
前記格納情報監視手段により前記格納情報が設定されている旨の監視結果が得られたときに、前記数値データ格納領域に格納されている数値データを読み出し、数値データ読出領域にこれまで格納されていた数値データに上書きして格納する数値データ読出手段と、
前記始動条件が成立したときに、前記数値データ読出領域に格納されている数値データを取り出す数値データ取出手段と、
前記数値データ取出手段が取り出した数値データを用いて、前記特定遊技状態に制御するか否かを、前記識別情報の可変表示結果が導出されるよりも前に決定する事前決定手段と、
前記変動表示装置において前記識別情報の変動表示を実行させ、前記事前決定手段の決定結果に応じた表示結果を前記変動表示装置に導出させる変動表示制御手段とを備える
ことを特徴とする遊技機。
【請求項２】
遊技領域に設けられた始動領域を遊技媒体が通過していることを検知して検知信号を出力する検知手段と、前記検知手段から出力された検知信号に基づいて成立する始動条件により各々を識別可能な複数種類の識別情報を変動表示する変動表示装置とを備え、前記識別情報の変動表示の表示結果が予め定められた特定表示結果となったときに、遊技者にとって有利な特定遊技状態に制御する遊技機であって、
所定の初期設定処理を実行した後、制御データに基づき遊技の進行を制御する遊技制御処理を実行する遊技制御手段を備え、
前記遊技制御手段は、
数値データを更新する数値更新手段と、
前記検知手段から前記検知信号が出力されたときに、該検知信号の出力に基づいて前記始動条件が成立したか否かに関わらずに、前記数値更新手段によって更新された数値データを抽出し、数値データ格納領域に格納する数値データ抽出手段と、
前記数値データ格納領域に前記数値データ抽出手段により抽出された数値データが格納された後、該格納されている数値データが読み出されるまでは、前記数値データ抽出手段により新たな数値データの格納を制限して、該格納されている数値データを保持する数値データ保持手段と、
前記数値データ格納領域に前記数値データ抽出手段により数値データが格納されたときに、数値データが新たに格納された旨を示す格納情報を設定する格納情報設定手段と、
前記格納情報設定手段に前記格納情報が設定されたときに、数値データ格納割込を発生させる格納割込発生手段と、
前記格納割込発生手段により発生させられた数値データ格納割込により割り込み処理を実行し、該割り込み処理において前記数値データ格納領域に格納されている数値データを読み出し、数値データ読出領域にこれまで格納されていた数値データに上書きして格納する数値データ読出手段と、
前記始動条件が成立したときに、前記数値データ読出領域に格納されている数値データを取り出す数値データ取出手段と、
前記数値データ取出手段が取り出した数値データを用いて、前記特定遊技状態に制御するか否かを、前記識別情報の可変表示結果が導出されるよりも前に決定する事前決定手段と、
前記変動表示装置において前記識別情報の変動表示を実行させ、前記事前決定手段の決定結果に応じた表示結果を前記変動表示装置に導出させる変動表示制御手段とを備える
ことを特徴とする遊技機。
【手続補正２】
【補正対象書類名】明細書
【補正対象項目名】００２１
【補正方法】変更
【補正の内容】
【００２１】
上記目的を達成するため、本発明の第２の観点にかかる遊技機は、
遊技領域に設けられた始動領域（普通入賞球装置６Ａ、普通可変入賞球装置６Ｂ）を遊技媒体が通過していることを検知して検知信号を出力する検知手段（第１始動口スイッチ２２Ａ、第２始動口スイッチ２２Ｂ）と、前記検知手段から出力された検知信号に基づいて成立する始動条件の成立により各々を識別可能な複数種類の識別情報を変動表示する変動表示装置（特別図柄表示装置４Ａ、４Ｂ、画像表示装置５）とを備え、前記識別情報の変動表示の表示結果が予め定められた特定表示結果となったときに、遊技者にとって有利な特定遊技状態（大当たり遊技状態）に制御する遊技機（パチンコ遊技機１）であって、
所定の初期設定処理を実行した後、制御データに基づき遊技の進行を制御する遊技制御処理を実行する遊技制御手段（遊技制御用マイクロコンピュータ１００）を備え、
前記遊技制御手段は、
数値データを更新する数値更新手段（乱数生成回路５５３、乱数列変更回路５５５）と、
前記検知手段から前記検知信号が出力されたときに、該検知信号の出力に基づいて前記始動条件が成立したか否かに関わらずに、前記数値更新手段によって更新された数値データを抽出し、数値データ格納領域（乱数値レジスタ５５９Ａ、５５９Ｂ）に格納する数値データ抽出手段（乱数ラッチセレクタ５５８Ａ、５５８Ｂ）と、
前記数値データ格納領域に前記数値データ抽出手段により抽出された数値データが格納された後、該格納されている数値データが読み出されるまでは、前記数値データ抽出手段により新たな数値データの格納を制限して、該格納されている数値データを保持する数値データ保持手段（新たな数値データのラッチの禁止）と、
前記数値データ格納領域に前記数値データ抽出手段により数値データが格納されたときに、数値データが新たに格納された旨を示す格納情報を設定する格納情報設定手段（乱数ラッチフラグレジスタ）と、
前記格納情報設定手段に前記格納情報が設定されたときに、数値データ格納割込を発生させる格納割込発生手段（乱数値レジスタ５５９Ａ、５５９Ｂに数値データがラッチされたときに割込みを発生させる変形例）と、
前記格納割込発生手段により発生させられた数値データ格納割込により割り込み処理を実行し、該割り込み処理において前記数値データ格納領域に格納されている数値データを読み出し、数値データ読出領域（第１乱数読出部５９６Ａ、第２乱数読出部５９６Ｂ）にこれまで格納されていた数値データに上書きして格納する数値データ読出手段（割り込み処理ルーチンにおいてステップＳ２３２、Ｓ２３４と同様の処理を実行する変形例）と、
前記始動条件が成立したときに、前記数値データ読出領域に格納されている数値データを取り出す数値データ取出手段（ステップＳ１１０）と、
前記数値データ取出手段が取り出した数値データを用いて、前記特定遊技状態に制御するか否かを、前記識別情報の可変表示結果が導出されるよりも前に決定する事前決定手段（ステップＳ１１０）と、
前記変動表示装置において前記識別情報の変動表示を実行させ、前記事前決定手段の決定結果に応じた表示結果を前記変動表示装置に導出させる変動表示制御手段（ステップＳ１１２、Ｓ１１３）とを備える
ことを特徴とする。
【手続補正３】
【補正対象書類名】明細書
【補正対象項目名】００２３
【補正方法】変更
【補正の内容】
【００２３】
また、数値データ格納領域に数値データが格納されて格納情報が設定されると、数値データ格納割込みが発生し、この数値データ格納割込みにより割り込み処理を実行し、該割り込み処理において数値データ読出手段によって数値データ格納領域から数値データが読み出され、数値データ読出領域に格納される。こうして数値データ格納領域に格納されていた数値データが数値データ読出領域に格納されると、新たに検出手段から検出信号が出力されたときには、これに基づいて数値データ抽出手段により数値更新手段から数値データが抽出され、数値データ格納領域に格納されることとなる。
【手続補正４】
【補正対象書類名】明細書
【補正対象項目名】００２７
【補正方法】変更
【補正の内容】
【００２７】
ここで、前記格納情報設定手段が、
前記第１数値データ格納領域に前記乱数抽出手段により数値データが格納されるときに、前記格納情報として第１格納情報を設定する第１格納情報設定手段（乱数ラッチフラグレジスタ［０］）と、
前記第２数値データ格納領域に前記乱数抽出手段により数値データが格納されるときに、前記格納情報として第２格納情報を設定する第２格納情報設定手段（乱数ラッチフラグレジスタ［１］）とを含む場合には、
前記格納割込発生手段は、
前記第１格納情報設定手段に前記第１格納情報が設定されたときに、前記数値データ格納割込のうちの第１数値データ格納割込を発生させる第１格納割込発生手段（乱数値レジスタ５５９Ａに数値データがラッチされたときに割込みを発生させる変形例）と、
前記第２格納情報設定手段に前記第２格納情報が設定されたときに、前記数値データ格納割込のうちの第２数値データ格納割込を発生させる第２格納割込発生手段（乱数値レジスタ５５９Ｂに数値データがラッチされたときに割込みを発生させる変形例）とを含み、
前記数値データ読出手段は、
前記第１格納割込発生手段により発生させられた第１数値データ格納割込により割り込み処理を実行し、該割り込み処理において前記第１数値データ格納領域に格納されている数値データを読み出し、前記数値データ読出領域のうちの第１数値データ読出領域に格納する第１数値データ読出手段（割り込み処理ルーチンにおいてステップＳ２３２と同様の処理を実行する変形例）と、
前記第２格納割込発生手段により発生させられた第２数値データ格納割込により割り込み処理を実行し、該割り込み処理において前記第２数値データ格納領域に格納されている数値データを読み出し、前記数値データ読出領域のうちの第２数値データ読出領域に格納する第２数値データ読出手段（割り込み処理ルーチンにおいてステップＳ２３４と同様の処理を実行する変形例）とを含むものとすることができる。
【手続補正５】
【補正対象書類名】明細書
【補正対象項目名】００２９
【補正方法】変更
【補正の内容】
【００２９】
また、前記格納情報設定手段が、前記第１格納情報設定手段と、前記第２格納情報設定手段とを含む場合には、
前記格納割込発生手段は、前記第１格納情報設定手段に前記第１格納情報が設定されたときと、前記第２格納情報設定手段に前記第２格納情報が設定されたときとに、何れの場合にも共通した数値データ格納割込を発生し、
前記数値データ読出手段は、前記格納割込発生手段により発生させられた数値データ格納割込により割り込み処理を実行し、該割り込み処理において前記第１数値データ格納領域に格納されている数値データを読み出し、前記数値データ読出領域のうちの第１数値データ読出領域に格納するとともに、前記第２数値データ格納領域に格納されている数値データを読み出し、前記数値データ読出領域のうちの第２数値データ読出領域に格納するものとすることができる。
【手続補正６】
【補正対象書類名】明細書
【補正対象項目名】００３１
【補正方法】変更
【補正の内容】
【００３１】
或いは、前記格納情報設定手段が、前記第１数値データ格納領域に前記乱数抽出手段により数値データが格納されるとき、前記第２数値データ格納領域に前記乱数抽出手段により数値データが格納されるときに、前記格納情報を設定するものである場合には、
前記数値データ読出手段は、前記格納割込発生手段により発生させられた数値データ格納割込により割り込み処理を実行し、該割り込み処理において、前記第１数値データ格納領域に格納されている数値データを読み出し、前記数値データ読出領域のうちの第１数値データ読出領域に格納するとともに、前記第２数値データ格納領域に格納されている数値データを読み出し、前記数値データ読出領域のうちの第２数値データ読出領域に格納するものとすることができる。